(57)【要約】【課題】落下の衝撃による光学性能の劣化の可能性が低いレンズ鏡筒及び撮像装置を提供する。【解決手段】本発明のレンズ鏡筒１００は、光学系Ｌ４を保持する保持部材３００と、前記保持部材３００を、前記光学系Ｌ４の光軸に沿って移動可能に案内する第１案内軸１８１と、を備え、前記保持部材３００は、前記第１案内軸１８１と係合する第１係合部３１３、及び、前記光軸に対して前記第１係合部３１３と反対側で前記光軸方向に偏倚した位置に設けられ、前記保持部材３００に前記光軸方向の力が加わったときに被当接部１７０，１７０Ａと当接可能な当接部３４２，３４３を有することを、特徴とする。【選択図】図３
2011242423.tif 000002
【特許請求の範囲】
【請求項１】
光学系を保持する保持部材と、
前記保持部材を、前記光学系の光軸に沿って移動可能に案内する第１案内軸と、を備え、
前記保持部材は、
前記第１案内軸と係合する第１係合部、及び、
前記光軸に対して前記第１係合部と反対側で前記光軸方向に偏倚した位置に設けられ、前記保持部材に前記光軸方向の力が加わったときに被当接部と当接可能な当接部を有することを、特徴とするレンズ鏡筒。
【請求項２】
請求項１に記載のレンズ鏡筒であって、
前記第１案内軸と平行に設けられた第２案内軸を備え、
前記保持部材は、前記第１係合部に対向して設けられるとともに前記第２案内軸に係合する第２係合部を備えること、を特徴とするレンズ鏡筒。
【請求項３】
請求項２に記載のレンズ鏡筒であって、
前記第２係合部と前記当接部とは一体的に設けられていること、
を特徴とするレンズ鏡筒。
【請求項４】
請求項１〜３のいずれか１項に記載のレンズ鏡筒であって、
前記保持部材を駆動する駆動部材を備え、
前記当接部は前記駆動部材に当接可能であること、を特徴とするレンズ鏡筒。
【請求項５】
請求項１〜４のいずれか１項に記載のレンズ鏡筒であって、
前記第１案内軸を支持する支持筒を備え、
前記当接部は前記支持筒に当接可能であること、を特徴とするレンズ鏡筒。
【請求項６】
請求項２〜５のいずれか１項に記載のレンズ鏡筒であって、
前記当接部は前記第２案内軸に当接可能であること、を特徴とするレンズ鏡筒。
【請求項７】
請求項１〜６のいずれか１項に記載のレンズ鏡筒であって、
前記保持部材は、
前記光学系とは異なる他の複数の光学系を一体的に保持するとともに前記第１案内軸と係合する他の係合部を有する他の保持部材を備え、
前記保持部材は、前記他の複数の光学系の間に配置されることを、を特徴とするレンズ鏡筒。
【請求項８】
請求項１〜７のいずれか１項に記載のレンズ鏡筒を備える撮像装置。
【発明の詳細な説明】
【技術分野】
【０００１】
本発明は、レンズ鏡筒及びそれを備えた撮像装置に関するものである。
【背景技術】
【０００２】
従来、撮影光学系内の可動レンズの保持部材（レンズホルダ）を２本のガイドバーによって移動可能に支持する構成のレンズ駆動装置が知られている。（例えば、特許文献１参照）。そして、このレンズホルダは、穴を介して一方のガイドバーに摺動自在に嵌合されているとともに、Ｕ字状の切欠部を介して他方のガイドバーに摺動自在に係合されている。
【先行技術文献】
【特許文献】
【０００３】
【特許文献１】特開２００６−２０８６７１号公報
【発明の概要】
【発明が解決しようとする課題】
【０００４】
上述のレンズ駆動装置が落下するなどして力がかかった場合、レンズホルダは、ガイドバーに係合している穴の部分を軸にし、他方のＵ字状の切欠部が慣性力で揺動する。衝撃が大きく、係合部が大きく揺動すると、貫通孔が設けられている部分が塑性変形する可能性があり、その結果、光学性能が劣化する可能性がある。
【０００５】
本発明の課題は、落下等の衝撃による光学性能の劣化の可能性が低いレンズ鏡筒及び撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、光学系（Ｌ４）を保持する保持部材（３００）と、前記保持部材（３００）を、前記光学系（Ｌ４）の光軸に沿って移動可能に案内する第１案内軸（１８１）と、を備え、前記保持部材（３００）は、前記第１案内軸（１８１）と係合する第１係合部（３１３）、及び、前記光軸に対して前記第１係合部（３１３）と反対側で前記光軸方向に偏倚した位置に設けられ、前記保持部材（３００）に前記光軸方向の力が加わったときに被当接部（１７０，１７０Ａ，１８２ａ，１１０ｂ）と当接可能な当接部（３４２，３４３，３５２，３５３，３５２ａ，３５４Ａ，３５２ｂ，３５３ｂ）を有することを、特徴とするレンズ鏡筒（１００）である。
請求項２に記載の発明は、請求項１に記載のレンズ鏡筒（１００）であって、前記第１案内軸（１８１）と平行に設けられた第２案内軸（１８２）を備え、前記保持部材（３００）は、前記第１係合部（３１３）に対向して設けられるとともに前記第２案内軸（１８２）に係合する第２係合部（３２０，３２１）を備えること、を特徴とするレンズ鏡筒（１００）である。
請求項３に記載の発明は、請求項２に記載のレンズ鏡筒（１００）であって、前記第２係合部（３２０，３２１）と前記当接部（３４２，３４３）とは一体的に設けられていること、を特徴とするレンズ鏡筒（１００）である。
請求項４に記載の発明は、請求項１〜３のいずれか１項に記載のレンズ鏡筒（１００）であって、前記保持部材（３００）を駆動する駆動部材（１７０，１７０Ａ）を備え、前記当接部（３４２，３４３）は前記駆動部材（１７０，１７０Ａ）に当接可能であること、を特徴とするレンズ鏡筒（１００）である。
請求項５に記載の発明は、請求項１〜４のいずれか１項に記載のレンズ鏡筒（１００）であって、前記第１案内軸（１８１）を支持する支持筒（１１０ｂ）を備え、前記当接部（３５２ｂ，３５３ｂ）は前記支持筒（１１０ｂ）に当接可能であること、を特徴とするレンズ鏡筒（１００）である。
請求項６に記載の発明は、請求項２〜５のいずれか１項に記載のレンズ鏡筒（１００）であって、前記当接部（３５２ａ，３５４Ａ）は前記第２案内軸（１８２ａ）に当接可能であること、を特徴とするレンズ鏡筒（１００）である。
請求項７に記載の発明は、請求項１〜６のいずれか１項に記載のレンズ鏡筒（１００）であって、前記保持部材（３００）は、前記光学系（Ｌ４）とは異なる他の複数の光学系（Ｌ３，Ｌ５）を一体的に保持するとともに前記第１案内軸（１８１）と係合する他の係合部を有する他の保持部材（２００）を備え、前記保持部材（３００）は、前記他の複数の光学系（Ｌ３，Ｌ５）の間に配置されることを、を特徴とするレンズ鏡筒（１００）である。
請求項８に記載の発明は、請求項１〜７のいずれか１項に記載のレンズ鏡筒（１００）を備える撮像装置（１）である。
なお、符号を付して説明した構成は、適宜改良してもよく、また、少なくとも一部を他の構成物に代替してもよい。
【発明の効果】
【０００８】
本発明によれば、落下等の衝撃による光学性能の劣化の可能性が低いレンズ鏡筒及び撮像装置を提供することができる。
【図面の簡単な説明】
【０００９】
【図１】本発明に係る一実施形態であるカメラを概念的に示す図である。
【図２】図１におけるレンズ鏡筒の拡大図である。
【図３】レンズ鏡筒における第３第５群保持枠の移動案内構造を示す部分拡大図である。
【図４】図３のＡ−Ａ断面図である。
【図５】図３のＢ−Ｂ断面図である。
【図６】本発明の変形形態を示す図である。
【図７】本発明の変形形態を示す図である。
【発明を実施するための形態】
【００１０】
以下、図面等を参照して、本発明の実施形態について説明する。
図１は、本発明に係る一実施形態であるカメラ１を概念的に示す図である。
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側とも呼称する。さらに、光軸ＯＡ（すなわちＺ軸）と平行な方向の移動を「直進」、光軸ＯＡを中心とする回動を「回転」と呼称する。
【００１１】
カメラ１は、カメラ本体１０と、レンズ鏡筒１００と、によって構成されている。
レンズ鏡筒１００は、焦点距離を可変調整可能ないわゆるズームレンズである。レンズ鏡筒１００は、撮影光学系を構成する複数のレンズ群（Ｌ１〜Ｌ５）と、開口径を変化させて入射光量を調整する絞り１０５と、を備えている。
また、レンズ鏡筒１００は、カメラマウントと着脱可能に係合するレンズマウントＬＭを備えており、このレンズマウントＬＭによってカメラ本体１０に着脱可能に装着されるようになっている。これにより、カメラ１は、用途に応じて異なるレンズ鏡筒１００を交換して撮影することができるようになっている。
【００１２】
カメラ本体１０は、クイックリターンミラー１１，ファインダスクリーン１２，ペンタプリズム１３，接眼光学系１４，シャッター１５，撮像素子１６，表示装置１７、制御装置１８等を備えている。
【００１３】
クイックリターンミラー１１は、レンズ鏡筒１００によって集光された被写体像の光路を、ファインダスクリーン１２に向けて屈曲させるためにカメラ本体１０内に揺動可能に設けられたミラーである。クイックリターンミラー１１は、レリーズ操作に応じて、被写体光の撮像素子１６への入射を妨げない退避位置（図１中に二点鎖線で示す）に移動する。
【００１４】
ファインダスクリーン１２は、クイックリターンミラー１１により反射された被写体像を結像させるスクリーンであり、クイックリターンミラー１１とペンタプリズム１３との間に配置されている。ペンタプリズム１３は、ファインダスクリーン１２に結像した像を正立像として接眼光学系１４へと導く。
【００１５】
接眼光学系１４は、ペンタプリズム１３により正立像となった被写体像を、拡大観察するための光学系であり、ペンタプリズム１３の背面側（撮影者側）に配置されている。
シャッター１５は、レリーズ操作に応じて開閉し、撮像素子１６に結像する被写体像光の露光時間を制御する。
【００１６】
撮像素子１６は、レンズ鏡筒１００によって結像された被写体像を電気信号に変換する、たとえば、ＣＣＤ等の光電変換素子である。撮像素子１６は、カメラ本体１０の内部の背面側（図１に示す右側）に、受光面を光軸ＯＡに対して直交させた状態で設けられている。
表示装置１７は、カメラ本体１０の外側の背面側（撮影者側）に設けられた液晶等の表示パネルを備えている。表示装置１７は、表示パネルに撮影画像や、露光時間等の撮影に関する情報等を表示する。
制御装置１８は、ＣＰＵ等を備えて構成され、前述した当該カメラ本体１０の各構成要素およびレンズ鏡筒１００を統括的に制御する。
【００１７】
カメラ本体１０は、前述したようにレンズ鏡筒１００が一体に結合されてカメラ１を構成する。結合状態では、カメラ本体１０の制御装置１８および図示しない電源が図示しない接続端子を介してレンズ鏡筒１００と接続され、制御装置１８によってレンズ鏡筒１００における合焦モータや絞り１０５等を制御駆動するようになっている。
【００１８】
そして、カメラ１は、撮影時において下記のように作用する。
カメラ本体１０が備える図示しないレリーズボタンが押圧操作（レリーズ操作）されると、クイックリターンミラー１１が退避位置に移動する。シャッター１５は、レリーズ操作に応じて開閉し、撮像素子１６に被写体像光を所定時間露光させる。撮像素子１６は、被写体像光を電気信号に変換して撮像する。撮像素子１６によって撮像された撮像データは、図示しない記録部に記録される。これによって、撮影が行われる。この撮影時において、レンズ鏡筒１００における絞り１０５および合焦モータ等は、カメラ本体１０の制御装置１８によって制御駆動される。すなわち、制御装置１８は、カメラ本体１０が備える図示しない測光センサの検知情報に基づいて絞り１０５を制御駆動すると共に、図示しない合焦センサの検知情報に基づいて合焦モータを制御駆動する。
【００１９】
つぎに、前述した図１に加えて図２〜図５を参照して、レンズ鏡筒１００についてより詳細に説明する。図２は、図１におけるレンズ鏡筒１００の拡大図である。図３は、レンズ鏡筒１００における第３第５群保持枠２００の移動案内構造を示す部分拡大図である。図４は、図３のＡ−Ａ断面図である。図５は、図３のＢ−Ｂ断面図である。
【００２０】
レンズ鏡筒１００は、前述したように、５群のレンズ群（Ｌ１〜Ｌ５）を備えるズームレンズであって、後端部に設けられたレンズマウントＬＭを介してカメラ本体１０に装着される。レンズ鏡筒１００における焦点距離の変化（ズーミング）は、レンズ群（Ｌ１〜Ｌ５）の光軸ＯＡ方向の移動によって行われる。
図２は、広角側端部を示し、望遠側では図示する状態からレンズ群（Ｌ１〜Ｌ５）がそれぞれ所定量被写体側に移動し、第１レンズ群Ｌ１は前方に突出する。
【００２１】
レンズ鏡筒１００は、固定筒１１０と、固定筒１１０の前端部近傍外周に回転可能に配設されたピント操作環１０１と、固定筒１１０の前端部に配設されたズーム操作環１２０と、を備えている。
【００２２】
固定筒１１０は、当該レンズ鏡筒１００の外面を形成する外筒部１１１と、内周側に配設された内筒部１１２とが、基端部（後端）で結合一体化して構成されている。固定筒１１０の背面側の端部には、レンズマウントＬＭが固定されている。
外筒部１１１は、当該レンズ鏡筒１００の外周面を形成する円筒状の外周壁１１１Ａと、内周面を形成する円筒状の内周壁１１１Ｂとを備えている。外周壁１１１Ａと内周壁１１１Ｂとは径方向に所定間隔を有しており、両者の間の空間が図示しない合焦モータを収容するモータ室１１３となっている。
【００２３】
内筒部１１２は、所定の肉厚の円筒状であって、外筒部１１１の内周側に同心状に配設されている。内筒部１１２の外周面と外筒部１１１の内周面の間には、所定の間隔が設定されている。内筒部１１２の前端部は、外筒部１１１の前端より被写体側に所定量突出し、ズーム操作環１２０の内周域に達している。
【００２４】
また、内筒部１１２は、内筒直進溝１１４と、カム筒操作ピン１１５と、を備えている。内筒直進溝１１４は、光軸ＯＡと平行に形成され、後述する直進内筒１５０における直進内筒ピン１５２が摺動可能に嵌合している。カム筒操作ピン１１５は、内筒部１１２の内周面に突設されており、後述するカム筒１７０の被操作カム溝１７２に摺動可能に嵌合している。
さらに、内筒部１１２の内周側の前後両端部には、それぞれ支持部１１６，１１７が設けられており、後述するガイドバー１８１，１８２を支持している。
【００２５】
ピント操作環１０１は、固定筒１１０における外筒部１１１の外周に、回転可能に装着されている。ピント操作環１０１は、モータ室１１３内に配設された図示しない合焦モータを介して後述する連動操作レバー１０４と連繋しており、当該ピント操作環１０１の回転操作によって連動操作レバー１０４を回動し得るようになっている。
【００２６】
ズーム操作環１２０は、所定長さの円筒状であって、固定筒１１０における外筒部１１１の先端に、回転可能且つ光軸ＯＡ方向には移動不能として装着されている。ズーム操作環１２０の内周には、光軸ＯＡと平行な操作案内溝１２１が形成されている。操作案内溝１２１には、後述する中間操作環１４０に突設された被操作ピン１４１が摺動可能に嵌合している。
【００２７】
ズーム操作環１２０と、固定筒１１０における内筒部１１２との間には、外周側から順に、カバー筒１０２と、第１レンズ群Ｌ１を保持する１群保持筒１３０と、中間操作環１４０と、直進内筒１５０と、第２レンズ群Ｌ２を保持する２群保持筒１６０と、がそれぞれ同心状に配設されている。
【００２８】
また、固定筒１１０における内筒部１１２の内周側には、カム筒１７０が、同心状に配設されている。カム筒１７０は、内筒部１１２の内周に回転および光軸方向に移動可能に嵌合している。
さらに、カム筒１７０の内周側には、一対のガイドバー１８１，１８２が設けられ、このガイドバー１８１，１８２に支持されて第３レンズ群Ｌ３および第５レンズ群Ｌ５を保持する第３第５群保持枠２００が配置されている。第３第５群保持枠２００の内部には、第４レンズ群Ｌ４を保持する第４群保持枠３００が配置されている。
【００２９】
カバー筒１０２は、所定長さの円筒状であって、後述する１群保持筒１３０の外周に摺動可能に嵌合している。カバー筒１０２は、１群保持筒１３０の直進移動に伴って直進移動して１群保持筒１３０とズーム操作環１２０の間を覆い、塵芥等がレンズ鏡筒１００の内部に浸入することを防ぐ。
【００３０】
１群保持筒１３０は、所定長さの円筒状であって、前端部に第１レンズ群Ｌ１を保持している。１群保持筒１３０における後端部近傍の内周面には、第一群ピン１３１が突設されている。第一群ピン１３１は、後述する中間操作環１４０に形成された第１群操作カム孔１４２を摺動可能に貫通し、先端が後述する直進内筒１５０に形成された第１群直進溝１５１に摺動可能に嵌合している。
これにより、１群保持筒１３０は、直進内筒１５０の第１群直進溝１５１に回転を規制され、中間操作環１４０が回転するとその第１群操作カム孔１４２によって直進駆動されるようになっている。
【００３１】
中間操作環１４０は、所定長さの円筒状であって、後述する直進内筒１５０の外周に、摺動回転が可能且つ光軸ＯＡ方向には相対移動不能に設けられている。
中間操作環１４０は、被操作ピン１４１と、第１群操作カム孔１４２と、カム筒直進溝１４３と、を備えている。被操作ピン１４１は、中間操作環１４０における後端部近傍の外周面に突設され、前述したように、ズーム操作環１２０における操作案内溝１２１に、摺動可能に嵌合している。第１群操作カム孔１４２は、Ｘ軸方向に対して所定の角度で形成されており、１群保持筒１３０に突設された第一群ピン１３１が摺動可能に嵌合している。カム筒直進溝１４３は、光軸ＯＡと平行に形成されており、後述するカム筒１７０の前部に設けられたカム筒ピン１７１が摺動可能に嵌合している。
中間操作環１４０は、ズーム操作環１２０の回転と被操作ピン１４１を介して連動して、回転駆動される。また、中間操作環１４０は、後述する直進内筒１５０の直進移動に伴って直進移動する。
【００３２】
直進内筒１５０は、所定長さの略円筒状であって、その後端部が、固定筒１１０における外筒部１１１と内筒部１１２の間に、摺動可能に嵌合している。直進内筒１５０の前端部外周には、前述したように、中間操作環１４０が摺動回転可能且つ光軸ＯＡ方向には相対移動不能に設けられている。
【００３３】
また、直進内筒１５０は、第１群直進溝１５１と、直進内筒ピン１５２と、逃げ孔１５３と、を備えている。第１群直進溝１５１は、光軸ＯＡ方向と平行に形成されており、１群保持筒１３０に突設された第一群ピン１３１の先端が摺動可能に嵌合している。直進内筒ピン１５２は、直進内筒１５０における後端部近傍の内周面に突設されている。直進内筒ピン１５２は、固定筒１１０の内筒部１１２に形成された内筒直進溝１１４を摺動可能に貫通し、その先端が後述するカム筒１７０に形成された直進内筒操作カム溝１７４に摺動可能に嵌合している。逃げ孔１５３は、後述するカム筒１７０の前面部に設けられたカム筒ピン１７１が移動可能に遊嵌する大きさに形成されている。
直進内筒１５０は、後述するカム筒１７０の回転によって、その内筒操作カム溝１７４に嵌合する直進内筒ピン１５２が操作され、直進内筒ピン１５２が固定筒１１０の内筒直進溝１１４に案内されて回転することなく直進移動する。
【００３４】
２群保持筒１６０は、外筒１６１と内筒１６２の内外二重の円筒が前側で一体化しており、所定長さに形成されている。２群保持筒１６０は、内筒１６２の内周に、レンズ枠１６３を介して第２レンズ群Ｌ２を保持している。２群保持筒１６０は、外筒１６１の内周で固定筒１１０における内筒部１１２の外周に摺動可能に嵌合している。
【００３５】
また、２群保持筒１６０は、被操作溝１６４と、第２群ピン１６５と、を備えている。
被操作溝１６４は、外筒１６１の外周面に光軸ＯＡと平行に形成されており、後述する連動操作レバー１０４が摺動可能に嵌合している。第２群ピン１６５は、内筒１６２における後端近傍の外周面に突設されている。第２群ピン１６５は、後述するカム筒１７０における第２群操作カム溝１７３に摺動可能に嵌合している。
【００３６】
そして、２群保持筒１６０は、被操作溝１６４の連動操作レバー１０４との係合および第２群ピン１６５のカム筒１７０における第２群操作カム溝１７３への嵌合とによって、後述するカム筒１７０における回転および直進に伴って回転せずに直進移動する。また、２群保持筒１６０は、ピント操作環１０１または図示しない合焦モータによる連動操作レバー１０４の回転によって回転駆動され、回転することで、その第２群ピン１６５が嵌合するカム筒１７０における第２群操作カム溝１７３に従って直進移動する。
【００３７】
カム筒１７０は、所定長さの円筒状であって、固定筒１１０における内筒部１１２の内周に、回転および直進移動可能に嵌合している。
カム筒１７０は、その前端部に、支持部材１０３を介して、外周側に突出するカム筒ピン１７１を備えている。カム筒ピン１７１は、直進内筒１５０に形成された逃げ孔１５３を介してその外周側に位置する中間操作環１４０に形成されたカム筒直進溝１４３に嵌合している。
【００３８】
また、カム筒１７０は、被操作カム溝１７２と、第２群操作カム溝１７３と、直進内筒操作カム溝１７４と、を備えている。被操作カム溝１７２は、Ｘ軸方向に対して所定の角度で形成されており、内筒部１１２に突設されたカム筒操作ピン１１５が嵌合している。第２群操作カム溝１７３は、カム筒１７０の前側の外周面にＸ軸方向に対して所定の角度で形成されており、２群保持筒１６０に突設された第２群ピン１６５が嵌合している。直進内筒操作カム溝１７４は、カム筒１７０の後ろ側の外周面にＸ軸方向に対して所定の角度で形成されており、直進内筒１５０に突設された直進内筒ピン１５２が摺動可能に嵌合している。
【００３９】
さらに、カム筒１７０は、図４および図５に示すように（図２には表れない）、第３第５群操作カム孔１７５と、第４群操作カム孔１７６と、を備えている。第３第５群操作カム孔１７５は、Ｘ軸方向に対して所定の角度で形成されており、後述する第３第５群保持枠２００に突設された被操作ピン２３０が摺動可能に嵌合している。第４群操作カム孔１７６は、Ｘ軸方向に対して所定の角度で形成されており、後述する第４群保持枠３００の被操作ピン３３０が摺動可能に嵌合している。
【００４０】
そして、カム筒１７０は、中間操作環１４０におけるム筒直進溝１４３への嵌合によって中間操作環１４０の回転に伴って回転駆動される。カム筒１７０は、回転すると、内筒部１１２のカム筒操作ピン１１５に嵌合する被操作カム溝１７２に操作されて直進移動する。
また、カム筒１７０は、その回転および直進移動によって、２群保持筒１６０（第２レンズ群Ｌ２）、第３第５群保持枠２００（第３レンズ群Ｌ３および第５レンズ群Ｌ５）、第４群保持枠３００（第４レンズ群Ｌ４）を直進駆動する。
【００４１】
ガイドバー１８１，１８２は、所定径の丸軸状の部材であって、固定筒１１０における内筒部１１２に設けられた支持部１１６，１１７にそれぞれ前後の端部が固定されて、カム筒１７０の内周側に、光軸ＯＡと平行に設けられている。
ガイドバー１８１，１８２は、光軸ＯＡを挟んで図２において上下対称位置に配設されている。すなわち、図２において、ガイドバー１８１が上側に配設され、ガイドバー１８２は下側に配設されている。以下の説明では、ガイドバー１８１配設側を上側、ガイドバー１８２配設側を下側と呼称する。
ガイドバー１８１，１８２は、第３第５群保持枠２００と、第４群保持枠３００とを、光軸ＯＡ方向に移動可能に支持している。
【００４２】
第３第５群保持枠２００は、所定長さの円筒状に形成されており、その前端部に第３レンズ群Ｌ３を保持し、後端部に第５レンズ群Ｌ５を保持している。また、第３第５群保持枠２００の内部には、第４群保持枠３００が配設されている。
第３第５群保持枠２００は、図３に示すように、前後両端部上側に突設されたガイド軸受部２１１，２１２と、前端部下側に突設された回り止め係合部２２０と、を備えている。ガイド軸受部２１１，２１２には、それぞれガイドバー１８１が摺動可能に嵌合する軸受孔２１３が光軸ＯＡと平行に貫通形成されている。回り止め係合部２２０には、係合溝２２１が形成されている。係合溝２２１は、下側に開放するＵ字状であって、その幅（対向面の間隔）は、ガイドバー１８２が摺動可能に嵌るように設定されている。
【００４３】
また、第３第５群保持枠２００は、図４に示すように、被操作ピン２３０と、開口部２４０，２５０と、を備えている。被操作ピン２３０は、第３第５群保持枠２００の外周面に突設されており、カム筒１７０に形成された第３第５群操作カム孔１７５に嵌合している。開口部２４０は第３第５群保持枠２００の光軸ＯＡ方向中央上側に形成されており、開口部２５０は第３第５群保持枠２００の光軸ＯＡ方向中央下側に形成されている。
【００４４】
第３第５群保持枠２００は、ガイド軸受部２１１，２１２の軸受孔２１３に上側のガイドバー１８１が摺動可能に嵌合すると共に、回り止め係合部２２０の係合溝２２１に下側のガイドバー１８２が摺動可能に嵌合し、これらガイドバー１８１，１８２によって光軸ＯＡに対する姿勢を保って直進移動可能に支持されている。すなわち、ガイド軸受部２１１，２１２の軸受孔２１３とガイドバー１８１との嵌合が直進方向の移動を案内し、回り止め係合部２２０の係合溝２２１とガイドバー１８２の係合が、ガイドバー１８１を中心とする第３第５群保持枠２００の回動を防ぐようになっている。
そして、第３第５群保持枠２００は、カム筒１７０の回転および直進に伴って、被操作ピン２３０が嵌合する第３第５群操作カム孔１７５によって操作され、直進移動する。
【００４５】
第４群保持枠３００は、円環状であって、第４レンズ群Ｌ４を保持しており、前述したように、第３第５群保持枠２００の内部に配設されている。
第４群保持枠３００は、図３および図４に示すように、前後両端部上側に突設されたガイド軸受部３１１，３１２と、前部下側に突設された回り止め係合部３２０と、被操作ピン３３０と、衝撃受け部３４０と、を備えている。
【００４６】
ガイド軸受部３１１，３１２には、それぞれガイドバー１８１が摺動可能に嵌合する軸受孔３１３が光軸ＯＡと平行に貫通形成されている。ガイド軸受部３１１，３１２は、第３第５群保持枠２００の開口部２４０からその外周側に突出し、軸受孔３１３にガイドバー１８１が嵌合している。
【００４７】
回り止め係合部３２０には、係合溝３２１が形成されている。係合溝３２１は、下側に開放するＵ字状であって、その幅（対向面の間隔）は、ガイドバー１８２が摺動可能に嵌るように設定されている。回り止め係合部３２０は、第３第５群保持枠２００の開口部２５０を介してその外周側に突出し、係合溝３２１にガイドバー１８２が嵌合している。
被操作ピン３３０は、第４群保持枠３００の外周面に突設されている。被操作ピン３３０は、第３第５群保持枠２００の開口部２４０を介してその外周側に突出し、カム筒１７０に形成された第４群操作カム孔１７６に嵌合している。
【００４８】
衝撃受け部３４０は、回り止め係合部３２０の後方（Ｚマイナス側）に延設されたアーム３４１の先端部外周側に、当接面３４３備えて構成されている。衝撃受け部３４０は、第４群保持枠３００が、ガイドバー１８１に支持されるガイド軸受部３１１，３１２を支点として光軸ＯＡと直交する面に対して倒れることを防ぐように機能する。この衝撃受け部３４０については、後に詳述する。
【００４９】
第４群保持枠３００は、ガイド軸受部３１１，３１２の軸受孔３１３に上側のガイドバー１８１が摺動可能に嵌合すると共に、回り止め係合部３２０の係合溝３２１に下側のガイドバー１８２が摺動可能に嵌合し、これらガイドバー１８１，１８２によって光軸ＯＡに対する姿勢を保って直進移動可能に支持されている。すなわち、ガイド軸受部３１１，３１２の軸受孔３１３とガイドバー１８１との嵌合が直進方向の移動を案内し、回り止め係合部３２０の係合溝３２１とガイドバー１８２の係合が、ガイドバー１８１を中心とする第４群保持枠３００の回動を防ぐようになっている。
そして、第４群保持枠３００は、カム筒１７０の回転および直進に伴って、被操作ピン３３０が嵌合する第４群操作カム孔１７６によって操作され、直進移動する。
【００５０】
上記のように構成されたレンズ鏡筒１００は、ピント操作環１０１の回転操作、または、モータ室１１３に配設された図示しない合焦モータによる連動操作レバー１０４を介した第２レンズ群Ｌ２を保持する２群保持筒１６０の回転によって、２群保持筒１６０における第２群ピン１６５が直進駆動される。これにより、２群保持筒１６０は回転しつつ直進移動し、結像位置が変化する。
【００５１】
また、レンズ鏡筒１００は、ズーム操作環１２０の回転操作によって、中間操作環１４０が回転および直進し、直進内筒１５０が直進し、カム筒１７０が回転及び直進する。これにより、第１レンズ群を保持する１群保持筒１３０と、第２レンズ群を保持する２群保持筒１６０と、第３および第５レンズ群を保持する第３第５群保持枠２００と、第４レンズ群を保持する第４群保持枠３００とが、それぞれ直進移動し、焦点距離が変化する。
【００５２】
つぎに、第４群保持枠３００の衝撃受け部３４０について詳細に説明する。
図３および図５に示すように、衝撃受け部３４０は、回り止め係合部３２０の後ろ側に延設されたアーム３４１と、このアーム３４１の先端部外周側に突設された当接部３４２と、当接部３４２の外周面である当接面３４３と、を備えている。
【００５３】
アーム３４１は、回り止め係合部３２０の後方側に、周方向に回り止め係合部３２０と同一幅で所定長さに延設されている。なお、アーム３４１の長さ（より正確にはその先端に形成される当接面３４３とガイド軸受部３１１，３１２とのＺ軸方向における距離）は、可能な限り長くすることが好ましい。
【００５４】
当接部３４２は、アーム３４１の先端に、外周側に向けて突設されている。当接部３４２は、光軸ＯＡ方向には所定の厚さで、周方向にはアーム３４１と等しい幅の板状に形成されている。当接部３４２の幅方向中央には、ガイドバー１８２との干渉を避ける逃げ溝３４４が形成されている。
【００５５】
逃げ溝３４４は、当接部３４２の中央に、外周側に開放するＵ字状に形成されている。逃げ溝３４４は、その内周面が、ガイドバー１８２の周面と接触しない大きさ（幅および深さ）に形成されている。
当接部３４２の外周側の端面は、対向するカム筒１７０の内周面１７０Ａと対応する円弧状の当接面３４３となっている。前述したように、当接部３４２には逃げ溝３４４が形成されているため、当接面３４３はこの逃げ溝３４４によって周方向２カ所に分断されている。
【００５６】
ここで、当接面３４３とカム筒１７０の内周面１７０Ａとの間には、所定の隙間Ｓが設定されている。
隙間Ｓは、第４群保持枠３００が、ガイド軸受部３１１，３１２における軸受孔３１３とガイドバー１８１との嵌合公差分変位しても、当接面３４３がカム筒１７０の内周面に接触しない最小限の間隔に、さらに、第４群保持枠３００がガイドバー１８１に対して捻られてもガイド軸受部３１１，３１２が弾性変形する範囲（塑性変形及び破損しない範囲）の移動量を加えて設定されている。つまり、第４群保持枠３００は、そのガイド軸受部３１１，３１２における軸受孔３１３と、ガイドバー１８１との嵌め合い公差分、極めて微量であるがガイド軸受部３１１，３１２を支点として揺動し得るが、この揺動によっても、当接面３４３がカム筒１７０の内周面１７０Ａに接触しないように設定されている。
【００５７】
上記のように構成された衝撃受け部３４０は、下記のように作用する。
レンズ鏡筒１００に対して背面側に向かう力（Ｚマイナス方向の力）が作用した場合（たとえば、レンズ鏡筒１００を下向きに落下させて前側が地面に衝突したような場合）、第４群保持枠３００には前側（Ｚプラス方向）に向かう慣性力が、図３中にＷで示すように、第４群保持枠３００における重心位置に作用する。この力は、ガイドバー１８１によって支持される部位（たとえばガイド軸受部３１１，３１２の中間の図３中の点Ｐ）を支点として、第４群保持枠３００を図３中時計回りに揺動させるように作用する。回り止め係合部３２０には、その構造上、第４群保持枠３００のこの方向の揺動を抑制する機能はない。
【００５８】
衝撃受け部３４０は、第４群保持枠３００がこの方向に揺動しようすると、揺動支点Ｐから遠距離（距離Ｄ）にあって大きく移動する当接面３４３がいち早くカム筒１７０の内周面１７０Ａに当接し、それ以上第４群保持枠３００が揺動することを防ぐ。これにより、ガイド軸受部３１１，３１２が過剰に捻られることによる破損を防ぐことができる。すなわち、衝撃受け部３４０を備えない構成では、第４群保持枠３００がガイド軸受部３１１，３１２を支点として揺動し、ガイド軸受部３１１，３１２にはガイドバー１８１によって相対的に図３中矢印Ｆで示す方向の力が加わることとなり、特に肉の薄いガイド軸受部３１２が破損する虞がある。しかし、本構成では衝撃受け部３４０の作用によってこのような不具合の発生を防ぐことができる。なお、衝撃受け部３４０におけるアーム３４１は、想定される衝撃の作用によっても過剰に変形および破損しない強度に構成される。
【００５９】
以上、本実施形態によると、以下の効果を有する。
（１）レンズ鏡筒１００における第４群保持枠３００の衝撃受け部３４０は、カム筒１７０の内周面１７０Ａとの間が所定の隙間Ｓが設定された当接面３４３を備えている。当接面３４３は、第４群保持枠３００に作用する前面側に向かう力による揺動に際し、カム筒１７０の内周面１７０Ａに当接し、それ以上第４群保持枠３００が揺動することを抑制する。これにより、ガイド軸受部３１１，３１２が過剰に捻られることによる破損を防ぐことができる。
【００６０】
（２）衝撃受け部３４０における当接面３４３と内周面１７０Ａとの間の隙間Ｓは、第４群保持枠３００が、ガイド軸受部３１１，３１２を支点として揺動しても当接面３４３がカム筒１７０の内周面１７０Ａに接触しない最小限の間隔に設定されている。これにより、第４群保持枠３００がガイドバー１８１，１８２に案内されて移動する通常の直進移動時には、当接面３４３がカム筒１７０の内周面１７０Ａに接触して抵抗を生ずることがない。
【００６１】
（変形形態）
本発明は、以上説明した実施形態に限定されることなく、以下に示すような種々の変形や変更が可能であり、それらも本発明の範囲内である。
（１）上記実施形態では、第４群保持枠３００における回り止め係合部３２０と衝撃受け部３４０とを、それぞれ独立して備えている。しかし、両者を兼ねた構成としても良い。図６（ａ）はそのような構成の一例としての回り止め兼衝撃受け部３５０ａを備える第４群保持枠３００Ａの部分図である。（ｂ）は、そのＣ矢視図である。
【００６２】
回り止め兼衝撃受け部３５０は、第４群保持枠３００の下部から背面側に延設されたアーム３５１と、このアーム３５１の先端部外周側に突設された当接部３５２と、当接部３５２の外周面である当接面３５３と、ガイドバー１８２に係合する係合溝３５４と、を備えている。
【００６３】
当接部３５２は、アーム３５１の先端に外周側に向けて突設されており、その外周側の端面は当接面３５３となっている。
当接面３５３は、対向するカム筒１７０の内周面１７０Ａと対応する円弧状に形成されている。当接面３４３とカム筒１７０の内周面１７０Ａとの間隔は、隙間Ｓに設定されている。
【００６４】
また、当接部３５２の幅方向中央には、係合溝３５４が形成されている。係合溝３５４は、外周側に開放するＵ字状に形成されており、その幅（対向面の間隔）は、ガイドバー１８２が摺動可能に嵌合するように設定されている。
このような回り止め兼衝撃受け部３５０の構成によれば、形状を単純化でき、第４群保持枠３００の製造が容易となってコストダウンも可能となる。
【００６５】
（２）上記実施形態では、第４群保持枠３００における当接面３４３がカム筒１７０の内周面１７０Ａに当接し、それ以上第４群保持枠３００が揺動することを阻止する。しかし、当接して第４群保持枠の揺動を規制する部材は、カム筒１７０に限らず、たとえば、ガイドバーであってもよい。
図７（ａ）は、ガイドバー１８２ａによって第４群保持枠の揺動を規制する例を示す。図７（ａ）に示す衝撃受け部３５０ａでは、Ｕ字状の係合溝３５４ａの底部３５１ａと、ガイドバー１８２ａの周面との間隔が、隙間Ｓに設定されている。これにより、係合溝３５４ａの底部３５１ａがガイドバー１８２ａに当接することで、４群保持枠の過剰な揺動を防ぐ。
【００６６】
（３）また、当接して第４群保持枠３００の揺動を規制する部材は、固定筒１１０ｂｃであってもよい。図７（ｂ）は、固定筒１１０ｂによって第４群保持枠の揺動を規制する例を示す。
図７（ｂ）に示す当接部３５２ｂの外周側の端面は当接面３５３ｂとなっている。当接面３５３ｂは、固定筒１１０ｂと対向し、固定筒１１０ｂの内周面と対応する円弧状に形成されている。当接面３５３ｂと固定筒１１０ｂの内周面との間隔は、隙間Ｓに設定されている。これにより、当接部３５２ｂの外周側の端面は当接面３５３ｂが固定筒１１０ｂに当接することで、４群保持枠の過剰な揺動を防ぐ。
【００６７】
（４）上記実施形態では、第４群保持枠３００における、回り止め係合部３２０の係合溝３２１、および衝撃受け部３４０の逃げ溝３４４は、外周側に開放するＵ字状に形成されている。しかし、これらは外周側に開放しない長孔状であっても良い。
【００６８】
（５）上記実施形態では、第４群保持枠３００における衝撃受け部３４０は、第４群保持枠３００の背面側に延設されたアーム３４１の先端に当接面３４３を備えており、ガイド軸受部３１１，３１２を支点とする第４群保持枠３００の下部が前側に移動する揺動を阻止する。しかし、揺動を規制する方向はこれに限るものではなく、第４群保持枠３００の前側に当接面を設けて第４群保持枠３００の後ろ側への揺動を阻止する構成としても良い。さらに、当接面も前後両側に設けて両側の揺動を阻止する構成としても良い。
【００６９】
（６）上記実施形態では、衝撃受け部３４０における当接面３４３は、ガイドバー１８２を挟んで周方向両側に配設されている。しかし、当接面３４３の配置は、これに限るものではない。当接面３４３は、第４群保持枠３００が支持される部位（ガイド軸受部２１１，２１２）に対して光軸ＯＡを挟んで対向する側であれば、その配設位置はガイドバー１８２の近傍に限らず適宜設定可能である。
【００７０】
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００７１】
１：カメラ、１６：撮像素子、１００：レンズ鏡筒、１７０：カム筒１７０Ａ：内周面、１７５：第３第５群操作カム孔、１７６：第４群操作カム孔、２００：第３第５群保持枠、２１１，２１２：ガイド軸受部、２１３：軸受孔、２２０：回り止め係合部、２２１：係合溝、２３０：被操作ピン、２４０，２５０：開口部、３００，３００′：第４群保持枠、３１１，３１２：ガイド軸受部、３１３：軸受孔、回り止め係合部：３２０、３２１：係合溝、３３０：被操作ピン、３４０：衝撃受け部、３４１：アーム、３４２：当接部、３４３：当接面、３４４：逃げ溝、３５０：回り止め兼衝撃受け部、３５１；アーム、３５２：当接部、３５３：当接面、３５４：係合溝
【図１】
2011242423.tif 000003
【図２】
2011242423.tif 000004
【図３】
2011242423.tif 000005
【図４】
2011242423.tif 000006
【図５】
2011242423.tif 000007
【図６】
2011242423.tif 000008
【図７】
2011242423.tif 000009
【手続補正書】
【提出日】平成23年7月20日(2011.7.20)
【手続補正１】
【補正対象書類名】特許請求の範囲
【補正対象項目名】全文
【補正方法】変更
【補正の内容】
【特許請求の範囲】
【請求項１】
光学系を保持する保持部材と、
前記保持部材を、前記光学系の光軸に沿って移動可能に案内する第１案内軸と、を備え、
前記保持部材は、
前記第１案内軸と係合する第１係合部、及び、
前記光軸に対して前記第１係合部と反対側で前記光軸方向に偏倚した位置に設けられ、前記保持部材に前記光軸方向の力が加わったときに被当接部と当接可能な当接部を有することを、特徴とするレンズ鏡筒。
【請求項２】
請求項１に記載のレンズ鏡筒であって、
前記第１案内軸と平行に設けられた第２案内軸を備え、
前記保持部材は、前記第１係合部に対向して設けられるとともに前記第２案内軸に係合する第２係合部を備えること、を特徴とするレンズ鏡筒。
【請求項３】
請求項２に記載のレンズ鏡筒であって、
前記第２係合部と前記当接部とは一体的に設けられていること、
を特徴とするレンズ鏡筒。
【請求項４】
請求項１〜３のいずれか１項に記載のレンズ鏡筒であって、
前記保持部材を駆動する駆動部材を備え、
前記当接部は前記駆動部材に当接可能であること、を特徴とするレンズ鏡筒。
【請求項５】
請求項１〜４のいずれか１項に記載のレンズ鏡筒であって、
前記第１案内軸を支持する支持筒を備え、
前記当接部は前記支持筒に当接可能であること、を特徴とするレンズ鏡筒。
【請求項６】
請求項２〜５のいずれか１項に記載のレンズ鏡筒であって、
前記当接部は前記第２案内軸に当接可能であること、を特徴とするレンズ鏡筒。
【請求項７】
請求項１〜６のいずれか１項に記載のレンズ鏡筒であって、
前記光学系とは異なる他の複数の光学系を一体的に保持するとともに前記第１案内軸と係合する他の係合部を有する第２保持部材を備え、
前記保持部材は、前記他の複数の光学系の間に配置されることを、を特徴とするレンズ鏡筒。
【請求項８】
請求項１〜７のいずれか１項に記載のレンズ鏡筒を備える撮像装置。
【手続補正２】
【補正対象書類名】明細書
【補正対象項目名】０００７
【補正方法】変更
【補正の内容】
【０００７】
請求項１に記載の発明は、光学系（Ｌ４）を保持する保持部材（３００）と、前記保持部材（３００）を、前記光学系（Ｌ４）の光軸に沿って移動可能に案内する第１案内軸（１８１）と、を備え、前記保持部材（３００）は、前記第１案内軸（１８１）と係合する第１係合部（３１３）、及び、前記光軸に対して前記第１係合部（３１３）と反対側で前記光軸方向に偏倚した位置に設けられ、前記保持部材（３００）に前記光軸方向の力が加わったときに被当接部（１７０，１７０Ａ，１８２ａ，１１０ｂ）と当接可能な当接部（３４２，３４３，３５２，３５３，３５２ａ，３５４Ａ，３５２ｂ，３５３ｂ）を有することを、特徴とするレンズ鏡筒（１００）である。
請求項２に記載の発明は、請求項１に記載のレンズ鏡筒（１００）であって、前記第１案内軸（１８１）と平行に設けられた第２案内軸（１８２）を備え、前記保持部材（３００）は、前記第１係合部（３１３）に対向して設けられるとともに前記第２案内軸（１８２）に係合する第２係合部（３２０，３２１）を備えること、を特徴とするレンズ鏡筒（１００）である。
請求項３に記載の発明は、請求項２に記載のレンズ鏡筒（１００）であって、前記第２係合部（３２０，３２１）と前記当接部（３４２，３４３）とは一体的に設けられていること、を特徴とするレンズ鏡筒（１００）である。
請求項４に記載の発明は、請求項１〜３のいずれか１項に記載のレンズ鏡筒（１００）であって、前記保持部材（３００）を駆動する駆動部材（１７０，１７０Ａ）を備え、前記当接部（３４２，３４３）は前記駆動部材（１７０，１７０Ａ）に当接可能であること、を特徴とするレンズ鏡筒（１００）である。
請求項５に記載の発明は、請求項１〜４のいずれか１項に記載のレンズ鏡筒（１００）であって、前記第１案内軸（１８１）を支持する支持筒（１１０ｂ）を備え、前記当接部（３５２ｂ，３５３ｂ）は前記支持筒（１１０ｂ）に当接可能であること、を特徴とするレンズ鏡筒（１００）である。
請求項６に記載の発明は、請求項２〜５のいずれか１項に記載のレンズ鏡筒（１００）であって、前記当接部（３５２ａ，３５４Ａ）は前記第２案内軸（１８２ａ）に当接可能であること、を特徴とするレンズ鏡筒（１００）である。
請求項７に記載の発明は、請求項１〜６のいずれか１項に記載のレンズ鏡筒（１００）であって、前記光学系（Ｌ４）とは異なる他の複数の光学系（Ｌ３，Ｌ５）を一体的に保持するとともに前記第１案内軸（１８１）と係合する他の係合部を有する第２保持部材（２００）を備え、前記保持部材（３００）は、前記他の複数の光学系（Ｌ３，Ｌ５）の間に配置されることを、を特徴とするレンズ鏡筒（１００）である。
請求項８に記載の発明は、請求項１〜７のいずれか１項に記載のレンズ鏡筒（１００）を備える撮像装置（１）である。
なお、符号を付して説明した構成は、適宜改良してもよく、また、少なくとも一部を他の構成物に代替してもよい。